(57)【特許請求の範囲】
【請求項１】
左右一対の前輪及び後輪を備えた乗用型の走行機体の後方に苗植付装置が連結され、運転座席の直後となる位置に粉粒体繰出し装置を装備した田植機の粉粒体繰出し装置であって、
粉粒体貯留用ホッパーと、そこからの肥料を所定量ずつ粉粒体移送経路の経路始端部に繰り出す繰出し機構とを備えてなり、
前記繰出し機構を構成するためのケースを、上ケース部分と下ケース部分とを分割面において連結する上下２分割構造によって構成するとともに、前記上ケース部分に排出口を形成し、粉粒体を走行機体の横側部位置で外部排出するための排出パイプが取付けられている田植機の粉粒体繰出し装置。
【請求項２】
前記繰出し機構を、前記粉粒体貯留用ホッパーの粉粒体排出口の下方に、外周に粉粒体入り込み用の凹部が形成された繰出しロールを配置して構成し、前記上ケース部分に、前記下ケース部分が外された状態において前記繰出しロールを吊設支持可能な可撓性のある仮受け機構を備えるとともに、この仮受け機構を、前記繰出しロールに係合して吊設支持する作用姿勢と、前記繰出しロールとの係合を解除する退避姿勢とに姿勢変更可能に構成してある請求項１に記載の田植機の粉粒体繰出し装置。
【請求項３】
前記上下のケース部分どうしが分離された状態において、前記下ケース部分に前記繰出しロールを係合保持可能に構成してある請求項２に記載の田植機の粉粒体繰出し装置。
【発明の詳細な説明】
【０００１】
【発明の属する技術分野】
本発明は、田植機の施肥装置に好適な粉粒体繰出し装置に係り、詳しくは、粉粒体の繰出し機構部分のメインテナンス性を向上させる技術に関する。
【０００２】
【従来の技術】
例えば、特開平８‐３３１９５４号公報に示された施肥装置付き田植機では、横長の肥料ホッパー下部に３個の繰出し機構が並設されたものを左右一対備えており、６条の苗植付機構毎に施肥ホース及び繰出し機構を有した施肥装置、すなわち粉粒体繰出し装置を備えていた。
【０００３】
【発明が解決しようとする課題】
粉粒体繰出し装置では、繰出しロール部分が繰出し機構としての最も重要な機能を備えた駆動部分であり、点検・整備を要する箇所であるが、上記従来技術のものでは、繰出しロールを囲繞支持するケースは、上下に開放部を有した単体部材で構成されており、繰出しロールの掃除や点検等のメインテナンスが行い難いものであるとともに、修理のための分解や再組付けが行い難いものでもあった。
【０００４】
本発明の目的は、粉粒体繰出し装置の構造工夫により、繰出し機構部分のメインテナンスが簡単に行えるように、かつ、分解・組付け性の向上も図れるようにする点にある。
【０００５】
【課題を解決するための手段】
〔構成〕
第１発明は、左右一対の前輪及び後輪を備えた乗用型の走行機体の後方に苗植付装置が連結され、運転座席の直後となる位置に粉粒体繰出し装置を装備した田植機の粉粒体繰出し装置であって、
粉粒体貯留用ホッパーと、そこからの肥料を所定量ずつ粉粒体移送経路の経路始端部に繰り出す繰出し機構とを備えてなり、
前記繰出し機構を構成するためのケースを、上ケース部分と下ケース部分とを分割面において連結する上下２分割構造によって構成するとともに、前記上ケース部分に排出口を形成し、粉粒体を走行機体の横側部位置で外部排出するための排出パイプが取付けられていることを特徴とする。
【０００６】
第２発明は、第１発明において、前記繰出し機構を、前記粉粒体貯留用ホッパーの粉粒体排出口の下方に、外周に粉粒体入り込み用の凹部が形成された繰出しロールを配置して構成し、前記上ケース部分に、前記下ケース部分が外された状態において前記繰出しロールを吊設支持可能な可撓性のある仮受け機構を備えるとともに、この仮受け機構を、前記繰出しロールに係合して吊設支持する作用姿勢と、前記繰出しロールとの係合を解除する退避姿勢とに姿勢変更可能に構成してあることを特徴とする。
【０００７】
第３発明は、第２発明において、上下のケース部分どうしが分離された状態において、下ケース部分に繰出しロールを係合保持可能に構成してあることを特徴とする。
【０００８】
〔作用〕
請求項１の構成は、ケースを上下２分割構造にするものである。すなわち、ケースを、分割面において上ケース部分と下ケース部分とを連結させて構成してあるので、ケースを上下に分割することによって、粉粒体繰出し装置としての設置状態のままで駆動回転部分である繰出しロール部分を露出させることが可能であり、掃除やメインテナンスが行い易くなる。又、上下２分割という単純な割り構造であるから、例えば、軸支部分のみを別の支持部品として単体部材のケースに組合わせる複合ケース構造に比べて、分解や組付け操作も単純で行い易いものとなる。
【０００９】
請求項２の構成によれば、下ケース部分を外した場合でも、仮受け機構を作用姿勢とすることによって繰出しロールを落とすことなく上ケース部分に装着された状態に維持することが可能であり、その状態での点検・整備や掃除が行える。
又、仮受け機構を退避姿勢に操作すれば、繰出しロールを上ケースからも外すことができ、掃除や整備がより行い易くなる。
【００１０】
請求項３の構成によれば、上下のケース部分どうしが分離された状態において、下ケース部分に繰出しロールを係合保持可能であるから、上下のケース部分を分離したときには繰出しロールを下ケース部分に支持することができ、繰出しロールを落下させてしまうとか、繰出しロールにゴミや異物が付着するといった不都合なくケースを上下に分離できるようになる。
【００１１】
〔効果〕
請求項１〜３のいずれに記載された粉粒体繰出し装置でも、（イ）ケースの上下２分割化によって、繰出しロール部分の点検・整備、掃除、並びに分解・組付け等が容易に行え、その結果、繰出し機構部分を良好に機能する状態に維持し易いものにできた。
【００１２】
請求項２に記載の粉粒体繰出し装置では、仮受け機構によって下ケース部分を外したときの不測の繰出しロール落下を防止できるように、かつ、繰出しロールを上ケースに装着した状態でのメインテナンスも可能となるようにしながら、上記効果（イ）が得られる利点がある。
【００１３】
請求項３に記載の粉粒体繰出し装置では、下ケース部分で繰出しロールを支持できるので、ケースを分解したときの不測の繰出しロール落下を防止しながら上記効果（イ）を得る利点がある。
【００１４】
【発明の実施の形態】
以下に、本発明の実施の形態を図面に基づいて説明する。図１に示すように、左右一対の前輪１及び後輪２を備えた乗用型の走行機体の後方にリンク機構３を介して植付部である苗植付装置４が昇降自在に連結され、苗植付装置４の前方側であり、かつ、運転座席６７の直後となる位置に粉粒体繰出し装置としての施肥装置Ａを装備して施肥装置付き田植機を構成してある。
【００１５】
この田植機は、走行機体のボンネット５内に搭載したエンジンＥの動力が、前伝動ケース６を介して前輪１に伝達されるとともに、走行系伝動軸７及び後伝動ケース８を介して後輪２に伝達される四輪駆動型であり、搭乗運転部９の操縦ハンドル１０の操作で左右前輪１を操舵するように構成してある。又、前伝動ケース６から植付系伝動軸であるＰＴＯ軸１１を後方に向けて延設してあり、そのＰＴＯ軸１１から苗植付装置４に動力を伝達することにより、圃場内を走行しながら苗植付け作業を行えるように構成してある。
【００１６】
苗植付装置４は、昇降用の油圧シリンダ１２の伸縮操作に伴って、下端部が圃場面に接地する苗植付け用の作業位置と、大きく上方に移動する上昇位置とに亘って昇降操作自在である。そして、リンク機構３に連結支持される植付部フレーム１３に対して車体横幅方向に沿って設定ピッチで往復横移動する苗載台１４、苗載台１４に載置された植付け対象苗の下端部から一株ずつ苗を取出して圃場に植付ける複数（６個）の植付機構１５、圃場に接地しながら泥面を整地する接地フロート５８等を備えた６条植え形式に構成してある。
【００１７】
苗載台１４の苗載置部には、横移動ストロークエンドにおいて載置している苗を植付機構１５に向けて設定量ずつ送り出す縦送り装置１６が各植付条毎に設けられている。この縦送り装置１６は、上下一対のプーリに亘って突起付きベルトが巻回され、下方側のプーリがストロークエンドにおいて接当作用により、所定量ずつ回動操作されるように構成されている。
【００１８】
又、この縦送り装置１６には、構造は詳述しないが、２条毎に縦送り作動を行う状態と作動を停止する状態とに切り換え自在な縦送りクラッチ（図示せず）を設けてある。そして、接地フロート５８には、各植付条における苗の植付け部位に隣接する夫々の箇所において、接地面よりも下方側に向けて泥土層に入り込み、泥面上に肥料を供給する為の溝を形成する作溝器１７を設けてある。
【００１９】
次に、施肥装置Ａについて説明する。図２〜図５に示すように、施肥装置Ａは、粉粒状の肥料を貯溜する２条一体型の肥料ホッパー１８と、そこからの肥料を所定量ずつ繰り出す繰出し機構１９と、繰り出された肥料を苗植付装置４の作溝器１７に向けて送る施肥ホース（粉粒体移送経路の一例）２１とを備えて構成してある。繰出し機構１９は、各植付条に対応して複数（６個）設けてあり、肥料ホッパー１８の２条用の漏斗部１８ａの下方に２個ずつ一体的に配置されている。各繰出し機構１９から繰り出された肥料を、ブロア２０の送風によって、施肥ホース２１を通して各作溝器１７に向けて各別に強制移送する送風機構Ｄを設けてある。
【００２０】
図５，図６に示すように、繰出し機構１９は、外周に所定ピッチをあけて多数の粉粒体入り込み用の凹部７０が形成された繰出しロール７１と、その下方に連続する三股状のロート部７２（経路始端部の一例）とで構成され、その２組が単一の漏斗部１８ａの下方において近接させて左右に並列配備してある。すなわち、繰出しロール７１は、受動ギヤ４０を一体に備えた円柱状の合成樹脂材で形成してあり、２個の仕切りリング７５，７５と、略ギヤ状の３個の繰出しリング７６ａ，７６ｂ，７６ｃを外嵌装着している。つまり、凹部７０は繰出しリング７６ａ，７６ｂ，７６ｃの凹んだ部分である。
【００２１】
ロールケース２２には、仕切りリング７５，７５に対応した箇所に固定の仕切り壁８６，８６を設けるとともに、繰出しリング７６ｂ，７６ｃに対応したシャッター８７，８７を備えてある。各シャッター８７は、手指操作で前方に抜き出し可能であり、２個のシャッター８７，８７の抜き差しによって、肥料が第１繰出しリング７６ａのみに案内される状態、第１及び第２繰出しリング７６ａ，７６ｂに供給される状態、及び第１〜第３繰出しリング７６ａ，７６ｂ，７６ｃの全部に供給される状態の選択が可能である。
【００２２】
互いに隣合う一対の繰出しロール７１，７１は、夫々の繰出しリング側を向け合い、かつ、回転軸芯Ｙを共有した状態であり、ギヤ側は各別の軸受け部７３，７３を介して、そして、繰出しリング側は両ロール７１，７１に内嵌する共通軸７４を介して夫々ロールケース２２に回転自在に支承してある。共通軸７４と各繰出しロール７１，７１とは回転自在であり、一対の繰出しロール７１，７１夫々を別々に駆動可能である。ロールケース２２の上部には漏斗部１８ａが嵌合装着してあり、繰出しロール７１の回転に伴って凹部７０内に貯められた肥料が下方のロート部７２に流下案内されるように構成してある。
【００２３】
３個のロールケース２２は、機体フレームＦから固定立設された縦フレーム２９で支持される横フレーム３０によって固定支持されている。各繰出しロール７１には受動ギヤ４０が一体形成されており、独立した回動軸の存在しない構造であって、６個の繰出し機構１９夫々を単独駆動可能となるように、繰出し機構１９毎に各別に駆動並びに停止できるように構成されている。
【００２４】
繰出し機構１９の駆動構成について説明する。繰出し機構１９の後方側箇所に、車体横幅方向に沿って施肥装置Ａのほぼ全幅に亘る長さで、且つ、両側端部にて回動自在に支持される状態で駆動軸３２が配置され、この駆動軸３２の横幅方向中間部にワンウェイクラッチ３３を設けてある。ワンウェイクラッチ３３の操作アーム３４と、ベベルギア機構２８を介してＰＴＯ軸１１で回転駆動される横向き伝動軸３５に取付られた回転アーム３６とを連動ロッド３７で枢支連結してあり、回転アーム３６の回転に伴う操作アーム３４の揺動移動を、ワンウェイクラッチ３３によって駆動軸３２を所定方向にのみ間欠的に回転するようにしてある。
【００２５】
そして、この駆動軸３２における各駆動ギヤ３９毎に、計６個の施肥クラッチ３８を設けてある。図７、図８に示すように、施肥クラッチ３８は、駆動ギヤ３９とクラッチ片４１とを咬合及び離脱操作可能に設けて構成されている。すなわち、駆動軸３２に相対回動自在に外嵌されたギア３９と、繰出しロール７１の受動ギヤ４０とを噛合う状態で設け、駆動ギア３９の横側に、六角軸状の駆動軸３２に一体回動自在でかつ軸芯方向にスライド自在なクラッチ片４１を駆動ギア３９に近接する方向に向けて巻きバネ７７で付勢する状態で外嵌してある。そして、クラッチ片４１と駆動ギア３９の対向する箇所に噛合部ｋを形成し、クラッチ片４１のスライド操作により、噛合部ｋが咬合すればクラッチ入りになり、咬合を解除すればクラッチ切りとなる。
【００２６】
又、各クラッチ片４１が操作ワイヤ４２の引き操作によって各別に切り操作可能に構成されている。つまり、横フレーム３０から固定延設された支持部３０ａによりクラッチ片４１に対して係合作用する操作体５７が縦軸芯Ｘ３周りで揺動自在に支持され、バネ付勢力によって噛合部ｋが噛み合うクラッチ入状態になり、操作ワイヤ４２の引き操作によって、バネ力に抗して噛合部ｋが離間してクラッチ切り状態に切り換えられるようになっている。
【００２７】
図８，図９に示すように、ロールケース２２を、横フレーム３０に支持され上ケース部分２２Ａと、ロート部７２を一体形成する下ケース部分２２Ｂとを、繰出しロール７１の回転軸芯Ｙを含むやや前倒れした前後向きの分割面ｗにおいて連結する上下２分割構造に構成してある。上ケース部分２２Ａが横フレーム３０で支持されており、又、下ケース部分２２Ｂにロート部７２を一体形成し、かつ、送風管４５を取付けてある。
【００２８】
両ケース部分２２Ａ，２２Ｂを組付けるには、先ず、下ケース部分２２Ｂ後部のフック８２を上ケース部分２２Ａ後部の突片８３に係合させて分割面ｗにて接合し、それから下ケース部分２２Ｂ前部の引掛けアーム８４を支点Ｚで上昇揺動させ、上ケース部分２２Ａに形成された係合突起８５に係合させるのである。外すときには、前述の逆に操作すれば良い。
【００２９】
図６に示すように、下ケース部分２２Ｂが上ケース部分２２Ａから外された状態において、繰出しロール７１を吊設支持可能な仮受け機構Ｇを備えてある。仮受け機構Ｇは、繰出しロール７１端の突出軸部７１ｂに遊外嵌支承する受け具８１を左右一対備えて横フレーム３０に取付けて構成され、受け本体８１ａはバネ板等の可撓性を有した部材で形成してある。自由状態では、各受け具８１は突出軸部７１ｂに外嵌しており、受け本体８１ａを側方に捻ることによって突出軸部７１ｂから離脱可能である。つまり、仮受け機構Ｇは、繰出しロール７１に係合して吊設支持する作用姿勢と、繰出しロール７１との係合を解除する退避姿勢とに姿勢変更可能に構成されている。
【００３０】
点検や整備等で下ケース部分２２Ｂを上ケース部分２２Ａから外すと、一対の受け具８１，８１によって繰出しロール７１，７１は上ケース部分２２Ａに装着された状態に維持されており、不測の脱落おそれが生じない。繰出しロール７１を上ケース部分２２Ａから外すには、受け具８１を捻って側方に逃がし、共通軸７４から抜き去れば良い。
【００３１】
又、分割面ｗは前後向き面であって、下ケース部分２２Ｂでも繰出しロール７１を載置支持可能であり、上ケース部分２２Ａから外された繰出しロール７１を下ケース部分２２Ｂに置いておくことができるようになっている。つまり、上下のケース部分２２Ａ，２２Ｂどうしが分離された状態において、下ケース部分２２Ｂに繰出しロール７１を載置保持可能に構成してあるので、上ケース部分２２Ａ内部の点検・整備も行いやすい。
【００３２】
次に、送風機構Ｄについて説明する。図２〜図４に示すように、繰出し機構１９の前方近傍に配置されて左右に延びる状態で両端がブラケット（図示せず）で支持された送風管４５と、この送風管４５の左端に装備されて送風管４５内に送風するブロワ２０と、後端がロート部７２の前端部に連通され、かつ、後端が送風管４５に突入された送風取込み管７８，７９とを一体に備えて送風機構Ｄを構成してある。そして、互いに近接して並列配備された２個の送風取込み管７８，７９のうち、送風管４５における送風方向下手側の右送風取込み管７９の送風管４５内への突入量を、送風方向上手側の左送風取込み管７８の突入量よりも大きくしてある。
【００３３】
各送風取込み管７８，７９における左側（送風方向上手側）部分に切欠き部７８ａ，７９ａを形成してあり、左から右に吹く風を効率良く取り込めるようにしてある。そして、左右の送風取込み管７８，７９が左右に極めて近接しているので、左送風取込み管７８の存在によって右送風取込み管７９に風が当たり難くなることを解消するために、図４に示すように、切欠き部７９ａの分だけ右送風取込み管７９を、より前側に寄るように配置してある。
【００３４】
図３に示すように、各ロート部７２の後端開口部に施肥ホース２１を差込み装着する。そして、ロールケース２２の上ケース部分２２Ａには、排出パイプ４８が接続される肥料の排出口５４を形成してあるとともに、肥料ホッパー１８から落下供給されてくる肥料を、繰出しロール７１の方に導く作用状態と、排出口５４に導く排出状態とに切換え可能な経路切換えシャッター５５を、ロールケース２２内に備えてあり、その切換レバー８０をロールケース２２外に設けてある。尚、通常は、送風パイプ４５の右端を開閉自在な蓋体４５ａで閉塞してある。
【００３５】
図１，図２に示すように、各排出口５４の夫々に連通された排出パイプ４８は、左右両側の３本ずつのものが、夫々、肥料案内方向下手側部分において大径の１本の合流管路４８ａに合流して左右両側部に振り分けてあり、共通の肥料排出口４９から肥料を排出するように構成してある。苗植付作業時に施肥を行う場合には、切換レバー８０を作用位置に切換えるとともに、ブロア２０の送風作動を開始し、繰出し機構１９から所定量ずつ繰出された肥料を、風力によってロート部７２から施肥ホース２１を通過して作溝器１７に向けて送り出して圃場に供給するのである。
【００３６】
植付作業終了後において、肥料ホッパー１８内に残った肥料を回収する場合には、切換レバー８０を排出位置に切換えるとともに、ブロア２０による送風を実行して、排出された肥料を排出口５４から排出パイプ４８を通過させて、肥料排出口４９から外部に排出するようになる。肥料排出口４９に対応して回収容器等を位置させれば肥料回収が可能である。
【図面の簡単な説明】
【図１】  田植機の全体側面図
【図２】  施肥装置の背面図
【図３】  肥料供給部の一部切欠き側面図
【図４】  送風取込み管の状態を示す断面平面図
【図５】  繰出しロールの形状等を示す肥料供給部の断面図
【図６】  繰出し機構の構造を示す一部切欠き正面図
【図７】  施肥クラッチを示す断面図
【図８】  ロールケースの分割面を示す肥料供給部の側面図
【図９】  ロールケースの分割構造を示す側面図
【符号の説明】
１８            肥料ホッパー
１８ａ          漏斗部（粉粒体排出口）
１９            繰出し機構
２１            施肥ホース（粉粒体移送経路）
２２            ケース
２２Ａ          上ケース部分
２２Ｂ          下ケース部分
４８ 排出パイプ
５４            排出口
７０            凹部
７１            繰出しロール
７２            ロート部（経路終端部）
Ｇ              仮受け機構
ｗ              分割面
【図１】
0003810517.tif 000002
【図２】
0003810517.tif 000003
【図３】
0003810517.tif 000004
【図４】
0003810517.tif 000005
【図５】
0003810517.tif 000006
【図６】
0003810517.tif 000007
【図７】
0003810517.tif 000008
【図８】
0003810517.tif 000009
【図９】
0003810517.tif 000010